(57)【特許請求の範囲】
【請求項１】
水素化処理触媒のインサイチュ活性化のための方法における、以下の特徴
ａ）  窒素化合物の総重量に対する１５から３５重量％の範囲の窒素の重量含有率；
ｂ）  分子当たり２から２０個の範囲の窒素原子数の窒素原子；
ｃ）  １４０℃から３００℃の範囲の沸点；および
ｄ）  窒素化合物は、室温および大気圧で液体形態であること、
の少なくとも２つを有する少なくとも１つの窒素化合物の使用であって、
窒素化合物は、Ｎ，Ｎ’−ジエチル−１，３−プロパンジアミン（ＤＥＡＰＡ）、テトラメチル−１，３−プロパンジアミン（ＴＭＰＤＡ）、Ｎ−メチル−１，３−プロパンジアミン、Ｎ，Ｎ’−ジブチル−１，３−プロパンジアミン、Ｎ−（３−ジメチルアミノプロピル）プロパン−１，３−ジアミン（ＤＭＡＰＡＰＡ）、Ｎ−（３−アミノプロピル）−１，３−プロパンジアミン、Ｎ，Ｎ’−１，２−エタンジイル−ビス−１，３−プロパンジアミン、Ｎ−（アミノプロピル）ジエタノールアミン（ＡＰＤＥＡ）、およびそれらの混合物から選択される
使用。
【請求項２】
窒素化合物はさらに、ｅ）８０ｇ．ｍｏｌ−１から３００ｇ．ｍｏｌ−１の範囲の分子量、という特徴を有する請求項１に記載の使用。
【請求項３】
窒素化合物はさらに、ｆ）芳香族基または環式基を含まない、という特徴を有する請求項１または２に記載の使用。
【請求項４】
少なくとも１つの窒素化合物は、必ず特徴ｂ）を有する請求項１から３のいずれか一項に記載の使用。
【請求項５】
少なくとも１つの水素化処理触媒の活性を制御するための、請求項１から４のいずれか一項に定義された１つ以上の窒素化合物の使用。
【請求項６】
水素化処理触媒の酸性部位を不動態化するための、請求項１から４のいずれか一項に定義された１つ以上の窒素化合物の使用。
【請求項７】
インサイチュ活性化のための方法における、以下の特徴
ａ）  窒素化合物の総重量に対する１５から３５重量％の範囲の窒素の重量含有率；
ｂ）  分子当たり２から２０個の範囲の窒素原子数；
ｃ）  １４０℃から３００℃の範囲の沸点；および
ｄ）  窒素化合物は、室温および大気圧で液体形態であること、
の少なくとも２つを有する少なくとも１つの窒素化合物の、請求項１から６のいずれか一項に記載の使用。
【請求項８】
少なくとも１つの窒素化合物は、必ず特徴ｂ）を有する請求項７に記載の使用。
【請求項９】
少なくとも
１）  前記水素化処理触媒を硫化剤の存在下で硫化する工程；および
２）  請求項１から４のいずれか一項で定義した少なくとも１つの窒素化合物の存在下で、前記水素化処理触媒を不動態化する工程
を含む少なくとも１つの水素化処理触媒のインサイチュ活性化方法。
【請求項１０】
硫化工程と不動態化工程は同時に行われる請求項９に記載の方法。
【請求項１１】
窒素化合物は、液相または気相で注入される請求項９または１０に記載の方法。
【請求項１２】
窒素化合物は、水素化処理触媒の総重量に対して、０．０１から２０重量％の範囲の含有率で注入される請求項９から１１のいずれか一項に記載の方法。
【請求項１３】
硫化工程において、硫化剤は、硫化水素、二硫化炭素、ジメチルジスルフィド（ＤＭＤＳ）、ジメチルスルフィド、メルカプタン、チオフェンおよび誘導体、アルキルポリスルフィド、ジアルキルポリスルフィドならびに水素化処理触媒の金属酸化物を硫化することができる全てのスルフィド化合物から選択される請求項９から１２のいずれか一項に記載の方法。
【請求項１４】
少なくとも
１）  水素化分解触媒を硫化剤の存在下で硫化する工程；および
２）  請求項１から５のいずれか一項で定義した少なくとも１つの窒素化合物の存在下で、前記水素化分解触媒を不動態化する工程、
を含む少なくとも１つの水素化分解触媒の請求項９から１３のいずれか一項に記載のインサイチュ活性化方法。
【発明の詳細な説明】
【技術分野】
【０００１】
本発明は、水素化処理反応に関する。特に、石油留分の水素化分解中およびバイオマスの変換の間に使用される水素化処理反応に関する。従って、本発明は、水素化処理触媒の活性化が行われる、石油精製の分野およびバイオ燃料の製造の分野の両方に関連する。より詳細には、本発明は、以下に「水素化処理触媒」と称する、これらの水素化処理操作中に使用される触媒の活性化に関する。さらにより具体的には、本発明は、水素化処理触媒のインサイチュ活性化のための方法、および水素化処理触媒の活性を制御する前記方法の間の特定の窒素化合物の使用に関する。
【背景技術】
【０００２】
水素化処理は、水素を用いた処理により、特に、生成物または生成物の混合物中に存在する硫化物化合物、窒素化合物、含酸素化合物等の化合物または金属の量を減少させることを可能にする処理である。この水素化処理方法は、多くの分野、特に石油留分の精製のための石油精製の分野のみならず、バイオ燃料の製造分野でも使用されている。
【０００３】
バイオ燃料の中で、第１世代であると言われるもの、例えば、糖料植物（甜菜、サトウキビ等）の発酵または穀物（トウモロコシ、小麦等）のでんぷんの酵素加水分解から得られるエタノールと、メタノールを用いた植物油のエステル交換によって得られるバイオディーゼルとの間は区別されている。一般に、当業者によく知られているこれらの方法は水素を使用せず、水素化処理方法を使用しない。
【０００４】
これら第１世代のバイオ燃料の開発は、特にその起源のために論争を引き起こした。実際、これらのバイオ燃料に必要な原料は、食品目的のための農業生産と競合する集約的な作物栽培を必要とする。この問題を克服するために、非食物植物油、廃棄植物油または動物油、例えば、使用済揚げ油、動物性脂肪等の他の天然原料を利用するために、第２世代のバイオ燃料を開発するためのかなりの研究努力が展開されている。
【０００５】
これらの第２世代のバイオ燃料の中には、木材、わら、農業廃棄物、林業残留物、またはミスカンサス（Ｍｉｓｃａｎｔｈｕｓ）（力芝）もしくはスイッチグラスのような特化した種のようなリグノセルロース系バイオマスから得られるものもある。このリグノセルロース系バイオマスは、例えば、４００℃から７００℃の間の高温での熱分解により変換される。この温度では、セルロース、リグニンおよびヘミセルロース等のバイオマスの構成要素は解重合し、蒸発するより軽い分子に分解する。冷却すると、蒸気は凝縮し、水、フェノール、ケトン、アルデヒド、アルコール、カルボン酸、および炭水化物を主成分とする熱分解油と呼ばれる液体生成物を形成する。
【０００６】
バイオ燃料の前駆体としての熱分解油または脂肪族鎖を含む天然起源の他の化合物の使用は、ほとんどの場合、変換および精製を必要とする。実際、これらの天然化合物は全て高濃度の不純物、例えば、燃料として直接使用することができない含酸素化合物および構造を有する。また、熱分解油は化学的に不安定であり、この不安定性は温度と共に増加し、これは燃料にとって大問題である。
【０００７】
このため、天然起源のこれらの化合物、例えば、熱分解油は、従来技術に開示されている付加的な方法、特に水素化処理を用いて改良される。
【０００８】
水素化処理は、バイオ燃料の分野に限定されず、この処理は、多くの他の分野、特に製油所の分野、より具体的には重質留分を軽質留分に変換（いわゆる「クラッキング」）する際にも使用される。実際、石油精製の間に、クラッキングは、複雑な有機分子を低分子量の化合物に変換することからなる操作である。特に接触分解および水素化分解を含む種々の技術を用いることができる。
【０００９】
接触分解は主として燃料（ガソリンおよび軽油等）および軽質オレフィン（例えば、プロピレン、ブチレン等）を生成するための吸熱反応である。この処理は、高温、例えば、４５０℃から５５０℃で、大気圧に近い圧力、例えば、１から５バール（すなわち１．１０５Ｐａから５．１０５Ｐａ）の圧力で、炭化水素を分解することから本質的になり、炭素の形成を伴い、この炭素は触媒上に堆積される。触媒は、空気による炭素の燃焼によって連続的に再生されるように流動床装置内で動いている。
【００１０】
水素化分解は主として軽油、灯油およびガソリンを得ることを可能にする。この処理は、より低い温度、例えば、２５０℃から４５０℃で、高水素圧、例えば、５０から２００バール（または５０．１０５から２００．１０５Ｐａ）の下で炭化水素を分解することから本質的になる。この反応は、不飽和化合物および／または、例えば、硫化物および窒素のような不純物の水素化の他の反応を伴う。これらの水素化不純物は炭化水素留分から容易に分離することができ、該炭化水素留分は市販燃料の仕様に合致する。特に、水素化分解は触媒の存在下で固定床中で行われ、触媒の硫化によって触媒を再活性化するために処理を定期的に停止させる必要がある。
【００１１】
従って、本発明は、水素化分解に関し、接触分解には関しない。
【００１２】
本明細書で使用される「水素化処理」という用語は、燃料、特に精製された燃料を製造するために加圧下での供給原料の水素化の触媒プロセスを説明する。この用語は、ヘテロ原子（主に酸素、窒素および硫化物）と炭素原子との間の結合を破壊することを目的とし、水素を用いる通常の反応と、鎖長を減少させ、より分岐した骨格を得るための炭素−炭素結合の分解および異性化の反応の両方を含む用語「水素化分解」の両方を含む。
【００１３】
これらの２つの方法は共通の触媒を使用する。従って、以後、水素化処理という用語は、特に、水素化、水素化異性化、水素化脱窒素化、水素化脱硫化、水素化脱酸素化、脱芳香族化、水素化転化という用語、特に、水素化分解、より具体的には水素を含む全ての反応を含む。
【００１４】
水素化処理触媒、特に水素化分解触媒の活性化または再活性化の操作の間に、クラッキング反応を抑制するために何も行われなければ、この反応の激しい発熱のため反応の暴走が生じることがある。これは、触媒の活性の損失および劣化、または工業設備への損傷さえもたらす可能性がある。この現象は、バイオ燃料、特にリグノセルロース系バイオマスから得られるバイオ燃料の製造中にも起こり得る。
【００１５】
この問題を回避する公知の方法は、窒素化合物、一般にアンモニアまたはアニリンを使用することであり、アニリンはアンモニア前駆体として使用される。実際に、導入されたまたはインサイチュで生成されたアンモニアは、水素化処理活性または水素化分解活性とそれぞれ呼ばれる水素化処理、特に水素化分解のその活性の原因となる酸性部位と反応することによって触媒を不動態化する。こうしてこれらの酸性部位が失活されると、水素化処理、特に水素化分解の反応が阻害され、触媒の硫化が完全な安全性のもとで起こり得る。
【００１６】
硫化は、硫化剤、例えば、硫化水素または硫化水素の前駆体を水素化処理触媒、特に水素化分解触媒と接触させることからなる。高温で水素下で硫化を行うと、それにより触媒中に存在する金属が金属硫化物に完全に変換される。これにより水素化処理触媒、特に水素化分解触媒が活性化される。
【００１７】
水素化処理触媒、特に水素化分解触媒の活性化は、水素化処理反応器、特に水素化分解反応器の外でエクスサイチュ、または水素化処理反応器、特に水素化分解反応器の内部でインサイチュのいずれかで実施される。これらの２つの方法は、当業者に知られている。
【００１８】
移動床で実施されるエクスサイチュ方法の間に、硫化剤を触媒と接触させる。触媒は、場合により、大気圧に等しいかまたは大気圧に近い圧力で水素の非存在下または存在下で熱的に処理される。このように、触媒は、それぞれ予備硫化または予備硫化および活性化される。
【００１９】
また、水素化処理触媒、特に水素化分解触媒の水素化処理活性、特に水素化分解活性をそれぞれ制御するために、窒素化合物を、一般に水素化処理触媒、特に水素化分解触媒とエクスサイチュで接触させる。得られた触媒は、一般に、エクサイチュで乾燥される。一般に、水素化処理触媒、特に水素化分解触媒は、そのまま使用する準備ができておらず、高水素圧力下および高温下で触媒を不動態化することが望ましい場合があり、さらにそれが必要なときもある。
【００２０】
通常は固定床で実施されるこのインサイチュ方法の間、硫化剤は水素化処理反応器、特に水素化分解反応器に高水素圧下および高温で導入される。この硫化工程により、触媒が活性化される。
【００２１】
また、窒素化合物が水素化処理反応器、特に水素化分解反応器に高水素圧力下および高温下で導入され、それにより水素化処理触媒、特に水素化分解触媒の酸性部位の不動態化が可能になる。
【００２２】
そのような方法は、当業者によく知られており、科学文献および特許に広く記載されている。このように、国際出願ＷＯ２０１４／００１６３３号は、水素化処理工程および異性化工程を含む、バイオ燃料への木材副産物の水素化転化方法を記載する。この最後に述べた工程は、分子篩またはゼオライトに担持された金属触媒を使用する。
【００２３】
文献ＵＳ２００９／０３０８７９０号は、水素化触媒、および有機窒素化合物、硫化剤および有機溶媒の存在下でエクスシチュでこの触媒を調製する方法を記載する。文献ＵＳ２００９／０３０８７９０号の有機窒素化合物は、好ましくは窒素および酸素を同時に含む。
【００２４】
特許出願ＦＲ２７７８３４９号は、少なくとも１つの硫化物化合物および少なくとも１つの窒素化合物を用いて水素化転化触媒を活性化する方法を記載する。
【００２５】
文献ＦＲ２６６８９５１号は、水素化分解触媒の活性化の２つの方法を記載しており、１つはインサイチュで、もう１つはエクスシチュであり、触媒の酸性部位を不動態化する工程を含む。この文献によれば、この工程は、第１級、第２級または第３級アミン、第４級アンモニウムを含む化合物、アニリン系化合物のようなアリールアミン、ピロールおよびその同族体、ピリジン、ニトリル化物、尿素およびチオ尿素、ニトロ化誘導体、亜硝酸誘導体もしくはニトロソ誘導体、もしくは任意の他の塩基性化合物または水素圧下で、高温で、触媒の存在下、塩基性化合物、特にアンモニアに転化することができる化合物から選択される窒素化合物の存在下で実施することができる。
【００２６】
しかし、これらの窒素化合物は、触媒の活性に悪影響を及ぼさずに、操作者の暴露の危険性、操作および貯蔵に関する制約、臭気および触媒の抑制効果に関し良好な妥協を提供するものではない。例えば、アンモニアは悪臭があり、取扱いに細心の注意を払う必要がある。アニリンは現在、欧州ＣＬＰ（「Ｃｌａｓｓｉｆｉｃａｔｉｏｎ，  Ｌａｂｅｌｌｉｎｇ，  Ｐａｃｋａｇｉｎｇ」）の規則に従ってＣＭＲ（発癌性、変異原性、生殖毒性）とみなされている。
【００２７】
さらに、水素化処理触媒、特に水素化分解触媒を活性化する方法は、特にそれがエクスサイチュで行われる場合、以下の欠点を示す：
−  高水素圧下での触媒の不動態化は、一般に水素化処理の前、特に水素化分解前にインサイチュで実施されるので、水素化処理法、特に水素化分解法に追加工程を必要とする。
−  窒素化合物および硫化剤は、触媒が水素化処理反応器、特に水素化分解反応器に供給される前に、水素化処理触媒、特に水素化分解触媒から脱着されるおそれがある。
−  追加の乾燥工程が一般に必要であり、エクスサイチュ法の持続時間を増加させる。
−  不動態化が一般的にエクスサイチュで行われないので、水素化処理触媒、特に水素化分解触媒の活性を制御ことはより困難である。
【先行技術文献】
【特許文献】
【００２８】
【特許文献１】国際公開第２０１４／００１６３３号
【特許文献２】米国特許出願公開第２００９／０３０８７９０号明細書
【特許文献３】仏国特許発明第２７７８３４９号明細書
【特許文献４】仏国特許発明第２６６８９５１号明細書
【発明の概要】
【発明が解決しようとする課題】
【００２９】
従って、水素化処理触媒、特に水素化分解触媒のインサイチュ活性化のための改良された方法が依然として必要とされている。実際、触媒の硫化中に、クラッキングまたは異性化の反応は面倒である。これらの反応は非常に発熱的であり、触媒の最終活性に悪影響を及ぼすことがあり、または活性化操作を制御不能にすることさえある。特に、触媒を水素化処理、特に水素化分解に使用する場合にその有効性に悪影響を及ぼすことなく、水素化処理触媒、特に水素化分解触媒の活性化の間に触媒の活性を一時的に抑制することが可能であり、操作者の暴露の危険性を制御すること、および取扱い、貯蔵および／または臭気に関連する制約について良好な妥協を提供することができる化合物または化合物の混合物が特に必要である。
【課題を解決するための手段】
【００３０】
この技術的課題は、本発明によって完全にまたは少なくとも部分的に解決される。さらに別の利点は、以下に示す本発明の説明から明らかになるであろう。
【００３１】
本発明は、少なくとも１つの水素化処理触媒、特に水素化分解触媒のインサイチュ活性化のための方法における、以下の特徴の少なくとも１つ、好ましくは少なくとも２つ、より好ましくは少なくとも３つ、さらにより好ましくは少なくとも４つを有する、少なくとも１つの窒素化合物の使用に関する。
ａ）  窒素化合物の総重量に対する１５から３５重量％の範囲、好ましくは２０から３５重量％の範囲、より好ましくは２０から３０重量％の範囲、より有利には２０から２５重量％の範囲の窒素の重量含有率；
ｂ）  分子当たり２から２０個の範囲、好ましくは２から１５個の範囲、より好ましくは２から１０個の範囲、さらにより好ましくは２から５個の範囲の窒素原子数、有利には分子当たり２個の窒素原子；
ｃ）  １４０℃から３００℃の範囲、好ましくは１４０℃から２５０℃の範囲、より好ましくは１４０℃から２００℃の範囲、さらにより好ましくは１４０℃から１７５℃の範囲の沸点；および
ｄ）  前記窒素化合物は、室温および大気圧で液体形態であること。
【００３２】
本発明は、少なくとも１つの水素化処理触媒、特に少なくとも１つの水素化分解触媒の活性を制御するための、上記定義の少なくとも１つの窒素化合物の使用にも関する。
【００３３】
本発明は、水素化処理触媒、特に水素化分解触媒の酸性部位を不動態化するための、上記定義の少なくとも１つの窒素化合物の使用にも関する。
【００３４】
本発明は、最終的には、少なくとも１つの水素化処理触媒、特に１つの水素化分解触媒のインサイチュ活性化のための方法であって、少なくとも
１）  前記水素化処理触媒、特に水素化分解触媒を硫化剤の存在下で硫化する工程；および
２）  本発明で定義した少なくとも１つの窒素化合物の存在下で、水素化処理触媒、特に水素化分解触媒を不動態化する工程、
を含む該方法に関する。
【００３５】
本発明は、使用が容易な水素化処理触媒、特に水素化分解触媒を活性化する方法を提案することにより、従来技術の欠点を克服することを可能にし、この方法は、水素化処理触媒の活性化、特に水素化分解触媒の活性化に有効であり、操作者の暴露の危険性の制御、ならびに取り扱い、貯蔵および／または臭気に関する制約について良好な妥協を提供する。有利には、インサイチュで実施されるこの方法に用いられる本発明の窒素化合物は、欧州ＣＬＰ規則によるＣＭＲ（発癌性、変異原性、生殖毒性）ではない。
【００３６】
本発明の使用および方法は、リグノセルロース系バイオマス由来のバイオ燃料の製造および石油留分の水素化分解に極めて適している。
【００３７】
定義
特に明記しない限り、記載された百分率は重量百分率である。
【００３８】
「窒素の重量含有率」は、窒素化合物の総重量に対する重量で表される、分子当たりの窒素原子の百分率を意味する。
【００３９】
「室温」とは、２０℃の温度を意味する。
【００４０】
「大気圧」は、１．０１３バールまたは１０１３２５パスカル（Ｐａ）の圧力を意味する。
【００４１】
「アルキルポリスルフィド」は、分子当たり少なくとも２つのスルフィド官能基を含む全てのアルキルスルフィドを意味する。
【００４２】
「ジアルキルポリスルフィド」は、分子当たり少なくとも２つのスルフィド官能基を含む全てのジアルキルスルフィドを意味する。
【００４３】
「ポリアミン」は、分子当たり少なくとも２つの、置換または無置換のアミン官能基を含む任意のアミン化合物を意味する。
【００４４】
「ＡＡＡ」はアルキルアルカノールアミンを意味する。
【００４５】
「水素化処理活性」は、化合物の水素化処理のための触媒の作用を意味する。
【００４６】
「水素化分解活性」は、炭化水素の水素化分解のための触媒の作用を意味する。
【００４７】
「Ｔｍ」は融点を意味する。
【発明を実施するための形態】
【００４８】
第１の態様によれば、本発明は、少なくとも１つの水素化処理触媒、特に水素化分解触媒のインサイチュ活性化のための方法における、上記の特徴の少なくとも１つ、好ましくは少なくとも２つ、より好ましくは少なくとも３つ、さらにより好ましくは少なくとも４つを有する、少なくとも１つの窒素化合物の使用に関する。
【００４９】
本発明による窒素化合物を使用することにより、以下の利点の少なくとも１つ、有利にはいくつかを得ることが可能である。
−  水素化処理触媒、特に水素化分解触媒の、水素化処理活性、特に水素化分解活性は、触媒の硫化操作の間中抑制される；
−  水素化処理操作、特に水素化分解操作の間の触媒の水素化処理活性、特に水素化分解活性は、触媒の硫化操作中、本発明の窒素化合物の作用に起因して低下しない；
−  本発明による窒素化合物の使用が容易である、即ち、本発明の窒素化合物は、より少ないアンモニアを生成する公知の窒素化合物と比較して、注入のために重い装置を必要としない；
−  アニリンを使用する溶液のような公知の溶液に対して、本発明の窒素化合物を取り扱う操作者の曝露の危険性が低減される；
−  有利には、本発明による窒素化合物は、欧州ＣＬＰ規則に従うＣＭＲ（発癌性、変異原性、生殖毒性）ではない。
【００５０】
上記のように、本発明の窒素化合物は、上で定義されたａ）、ｂ）、ｃ）、ｄ）の特徴の少なくとも１つ、好ましくは少なくとも２つ、より好ましくは少なくとも３つ、さらにより好ましくは少なくとも４つを有する。全ての組み合わせ、例えば、ａｂ、ａｂｃ、ａｃ、ａｃｄ、ａｄ、ａｂｄ、ｂｃ、ｂｃｄ、ｃｄ、ｂｄ、ａｂｃｄが考えられる。
【００５１】
一実施形態によれば、さらに、本発明による窒素化合物は、８０ｇ．ｍｏｌ−１から３００ｇ．ｍｏｌ−１の範囲、好ましくは１００ｇ．ｍｏｌ−１から２５０ｇ．ｍｏｌ−１の範囲、さらにより好ましくは１００ｇ．ｍｏｌ−１から２００ｇ．ｍｏｌ−１の範囲、有利には１２０ｇ．ｍｏｌ−１から１５０ｇ．ｍｏｌ−１の範囲の分子量を有し、これは以下、特徴ｅ）として指定される。
【００５２】
この実施形態によれば、窒素化合物は、特徴ｅ）の他に、上で定義された特徴ａ）、ｂ）、ｃ）、ｄ）の少なくとも１つ、好ましくは少なくとも２つ、より好ましくは少なくとも３つ、さらにより好ましくは少なくとも４を有する。全ての組み合わせ、例えば、ａｅ、ａｂｅ、ａｂｃｅ、ａｃｅ、ａｃｄｅ、ａｄｅ、ａｂｄｅ、ｂｅ、ｂｃｅ、ａｄｅ、ｂｃｄｅ、ｃｄｅ、ｄｅ、およびａｂｃｄｅが考えられる。
【００５３】
有利には、本発明による窒素化合物は、２から２０個の窒素原子を含む窒素化合物；特に、ポリアミン；ＡＡＡ；およびそれらの混合物から選択される。例えば、ジアミン、トリアミン等。好ましくは、本発明による窒素化合物は、尿素ならびにニトロ化化合物、亜硝酸化合物、またはニトロソ化合物から誘導される化合物を含まない。
【００５４】
別の好ましい実施形態によれば、本発明の窒素化合物は、ヒドロキシル基、カルボキシル基、カルボニル基またはアルコキシ基等の酸素原子を含む官能基を含まない。
【００５５】
一実施形態によれば、本発明の窒素化合物は、芳香族基または環式基を含まず、これは以下、特徴ｆ）として指定される。
【００５６】
この実施形態によれば、窒素化合物は、特徴ｆ）の他に、上で定義された特徴ａ）、ｂ）、ｃ）、ｄ）、ｅ）の少なくとも１つ、好ましくは少なくとも２つ、好ましくは少なくとも３つ、好ましくは少なくとも４つ、より好ましくは少なくとも５つを有する。全ての組み合わせ、例えば、ａｆ、ａｂｆ、ａｂｃｆ、ａｂｃｄｆ、ａｃｆ、ａｃｄｆ、ａｃｄｅｆ、ａｄｆ、ａｄｅｆ、ａｅｆ、ａｂｅｆ、ａｂｄｅｆ、ａｃｅｆ、ａｂｅｆ、ｂｆ、ｂｃｆ、ｂｃｄｆ、ｂｃｄｅｆ、ｂｄｆ、ｂｄｅｆ、ｂｅｆ、ｂｃｅｆ、ｃｆ、ｃｄｆ、ｃｄｅｆ、ｃｄｆ、ｄｆ、ｄｅｆ、およびａｂｃｄｅｆが考えられる。
【００５７】
好ましい実施形態によれば、特徴ｂ）が特に好ましい。従って、好ましい実施形態では、少なくとも１つの窒素化合物は、必然的に特徴ｂ）を有し、即ち、前記少なくとも１つの窒素化合物は、分子当たり、２から２０個の範囲、好ましくは２から１５個の範囲、より好ましくは２から１０個の範囲、さらにより好ましくは２から５個の範囲の窒素原子数を有し、有利には分子あたり２個の窒素原子を有する。
【００５８】
好ましい実施形態によれば、少なくとも１つの窒素化合物は、特徴ｂ）、および上で定義した特徴ａ）、ｃ）、ｄ）の少なくとも１つ、好ましくは少なくとも２つ、より好ましくは少なくとも３つ、ならびに場合によりさらに特徴ｅ）および／または特徴ｆ）を有する。
【００５９】
本発明で使用することができる窒素化合物の例は、Ｎ，Ｎ’−ジエチル−１，３−プロパンジアミン（ＤＥＡＰＡ）（Ｔｍ＝−５０℃）、テトラメチル−１，３−プロパンジアミン（ＴＭＰＤＡ）（Ｔｍ＝−８２℃）、Ｎ−メチル−１，３−プロパンジアミン（Ｔｍ＝−７２℃）、Ｎ，Ｎ’−ジブチル−１，３−プロパンジアミン（Ｔｍ＝−５０℃）、Ｎ−（３−ジメチルアミノプロピル）プロパン−１，３−ジアミン（ＤＭＡＰＡＰＡ）（Ｔｍ＝−６０℃）、Ｎ−（３−アミノプロピル）−１，３−プロパンジアミン（Ｔｍ＝−１６℃）、Ｎ，Ｎ’−１，２−エタンジイル−ビス−１，３−プロパンジアミン（Ｔｍ＝−１．５℃）、Ｎ−（アミノプロピル）ジエタノールアミン（ＡＰＤＥＡ）（Ｔｍ＝−２０℃）、およびそれらの混合物である。
【００６０】
好ましくは、窒素化合物は、Ｎ，Ｎ’−ジエチル−１，３−プロパンジアミン（ＤＥＡＰＡ）、テトラメチル−１，３−プロパンジアミン（ＴＭＰＤＡ）、Ｎ−メチル−１，３−プロパンジアミン、Ｎ，Ｎ’−ジブチル−１，３−プロパンジアミン、Ｎ−（３−ジメチルアミノプロピル）プロパン−１，３−ジアミン（ＤＭＡＰＡＰＡ）、Ｎ−（３−アミノプロピル）−１，３−プロパンジアミン、Ｎ，Ｎ’−１，２−エタンジイル−ビス−１，３−プロパンジアミン、およびそれらの混合物から選択されるアルキルアミンである。
【００６１】
より好ましくは、窒素化合物は、Ｎ，Ｎ’−ジエチル−１，３−プロパンジアミン（ＤＥＡＰＡ）およびテトラメチル−１，３−プロパンジアミン（ＴＭＰＤＡ）、ならびにＤＥＡＰＡとＴＭＰＤＡとの混合物から選択される。
【００６２】
一実施形態によれば、少なくとも２つの窒素化合物の混合物が使用される。２つの窒素化合物の混合物において、混合物中の窒素の重量含有率は、上記で定義したような単一の窒素化合物の含有率に相当する。換言すれば、この含有率は、窒素化合物の混合物の総重量に対して、１５から３５重量％、好ましくは２０から３５％、より好ましくは２０から３０％、より有利には２０から２５％である。
【００６３】
より正確には、混合物の窒素重量含有率が本発明に従うように使用される窒素化合物の相対量を決定するために、以下の等式を使用することができる。２つの窒素化合物Ａ１とＡ２との混合物については、それらの相対量ＱＡ１およびＱＡ２が以下に表される。
【００６４】
【数１】
0006368382.tif 000002
【００６５】
これらの等式中、
−  Ａ１およびＡ２は２つの窒素化合物を表し、それらは同一でも異なってもよい；
−  ＱＡ１は、窒素化合物の混合物の総重量に対する重量％で表される窒素化合物Ａ１の量を表す；
−  ＱＡ２は、窒素化合物の混合物の総重量に対する重量で表される窒素化合物Ａ２の量を表す；
−  ％ＮＡ１は、窒素化合物Ａ１の重量に対する重量％で表される窒素化合物Ａ１における窒素の重量含有率を表す；
−  ％ＮＡ２は、窒素化合物Ａ２の重量に対する重量％で表される窒素化合物Ａ２における窒素の重量含有率を表す；
−  ％ＮＡ１＋Ａ２は、混合物の重量に対する重量％で表される本発明の２つの窒素化合物Ａ１およびＡ２の混合物の窒素の重量含有率を表す。
【００６６】
例えば、窒素化合物Ａ１における窒素の重量含有率が％ＮＡ１＝１５％であり、窒素化合物Ａ２における窒素の重量含有率が％ＮＡ２＝３０％であり、本発明に従って、Ａ１＋Ａ２の混合物に対する目標窒素重量含有率が％ＮＡ１＋Ａ２＝２０％である場合、混合物に使用される窒素化合物Ａ１の相対量は、窒素化合物の混合物の総重量に対し、ＱＡ１＝６６．６７重量％に等しく、混合物に使用される窒素化合物Ａ２の相対量は、窒素化合物の混合物の総重量に対し、ＱＡ２＝３３．３３重量％である。
【００６７】
混合物が、本発明に従って、少なくとも３つ、少なくとも４つ、少なくとも５または６つ以上の窒素化合物を含む場合、混合物の窒素重量含有率が本発明に従うように使用される窒素化合物の相対量を決定するために、上記と同様の等式を確立することができる。
【００６８】
上記のように、本発明は、最終的に、少なくとも１つの水素化処理触媒、特に水素化分解触媒のインサイチュ活性化のための方法に関する。
【００６９】
有利には、少なくとも１つの水素化処理触媒、特に水素化分解触媒のインサイチュ活性化のための前記方法は、
１）  前記水素化処理触媒、特に水素化分解触媒を硫化剤の存在下で硫化する工程；および
２）  前記水素化処理触媒、特に前記水素化分解触媒の不動態化を、上で定義した少なくとも１つの窒素化合物の存在下で行う工程
からなる。
【００７０】
不動態化工程の間に、水素化処理触媒、特に水素化分解触媒を本発明の窒素化合物と接触させることは、当業者に公知の任意の方法、特に少なくとも１つの水素化分解触媒、特に少なくとも１つの水素化分解触媒を含む反応器への本発明の窒素化合物の液相または気相注入によって実施することができる。気相注入を用いる場合、窒素化合物は、注入中または注入前に気化される。好ましくは、液相注入が用いられる。
【００７１】
本発明の窒素化合物の注入は、計量ポンプ、注入ポンプ、または供給ポンプのような当業者に公知の任意の手段によって行うことができる。
【００７２】
不動態化工程は有利には１２０から３５０℃の範囲の温度で実施される。
【００７３】
不動態化工程は、有利には水素雰囲気下で実施される。水素圧力は、水素化処理反応器、特に水素化分解反応器の通常の操作圧力に対応する。それは好ましくは１バールから２００バール（または１．１０５Ｐａから２００．１０５Ｐａ）、好ましくは１５バールから１００バール（または１５．１０５Ｐａから１００．１０５Ｐａ）の範囲である。
【００７４】
不動態化工程の間、窒素化合物は、有利には、水素化処理触媒、特に水素化分解触媒の総重量に対して、０．０１から２０重量％、好ましくは０．０１から１０重量％、より好ましくは０．０１から５重量％の範囲の含有率で注入される。
【００７５】
不動態化工程の間に、生成されるアンモニア含有率が、水素化処理触媒、特に水素化分解触媒の総重量に対して、０．０１から４０重量％、好ましくは０．０１から２０重量％、より好ましくは０．０１から１０重量％、さらにより好ましくは０．０１から５重量％になるよう、窒素化合物の含有率が有利に調節される。
【００７６】
本発明で使用される水素化処理触媒、特に水素化分解触媒は、好ましくは酸性官能性および水素化官能性を有する二官能性である。当業者に知られているこの種の触媒は、一般に担持された金属の形態である。酸性官能性は、担体（例えば、アルミナまたは非晶質および／もしくは結晶性シリコアルミン酸塩）または、例えば、フッ素等のハロゲン化ドーパントによって供給され、水素化官能性は硫化工程で操作可能にされる金属酸化物または金属硫化物によって供給される。
【００７７】
一実施形態によれば、担体は、一般に、多孔質耐火性酸化物である。多孔質耐火性酸化物は、好ましくはゼオライト、アルミナ、シリカ、ジルコニア、ならびにベリリウム、クロム、チタン、マグネシウムおよびトリウムの酸化物、ならびにシリコアルミン酸塩およびシリカ−酸化チタンのようなそれらの組合せから選択される。
【００７８】
水素化処理、特に水素化分解の分野で最も使用される担体は、ゼオライトと呼ばれる結晶性シリコアルミン酸塩である。使用されるゼオライトは交換可能なカチオン、一般に金属カチオンまたはヒドロニウムイオン、好ましくはヒドロニウムイオンを有する。
【００７９】
ゼオライトは、好ましくは、天然ゼオライト、例えば、フェリエライト、人工ゼオライトおよび合成ゼオライト、例えば、非限定的に、ゼオライトＺＳＭ、例えば、ＺＳＭ−２２、ＺＳＭ−２３、ＺＳＭ−５、ＺＳＭ−１１、ＺＳＭ−１２、ＺＳＭ−２３、ＺＳＭ−３５、ＺＳＭ−３８およびそれらの類似体、ゼオライトＳＡＰＯ、例えば、ＳＡＰＯ−１１、ＳＡＰＯ−３１、ゼオライトベータおよびゼオライトＹから選択される。
【００８０】
多孔質耐火性酸化物は、場合により、ゼオライトと組み合わせてもよく、例えば、ゼオライトと、シリカ、ジルコニアまたはアルミナとの組み合わせが挙げられる。
【００８１】
本発明で使用される水素化処理触媒、特に水素化分解触媒は、好ましくは、ＩＵＰＡＣの元素の周期律表の第５、６、８、９および１０欄から選択される遷移金属を含む。
【００８２】
水素化処理触媒、特に水素化分解触媒は、バナジウム、ニオブ、タンタル、クロム、モリブデン、タングステン、鉄、ルテニウム、オスミウム、コバルト、ロジウム、イリジウム、ニッケル、パラジウム、白金、および全ての比率におけるこれら２つ以上の混合物から選択される１つ以上の遷移金属を含むことが好ましい。
【００８３】
金属の好ましい組み合わせは、ニッケル−タングステン、コバルト−モリブデン、ニッケル−バナジウム、ニッケル−モリブデン、モリブデン−タングステンおよびニッケル−コバルトである。特に、ニッケル／タングステン触媒は、それらが化石起源（石油由来の炭化水素）であるか、または動物もしくは植物起源であるかにかかわらず、水素化脱酸素反応および他の水素化処理反応、特に有機原料の水素化分解の反応を行う能力を示す一方で、優れた異性化および脱芳香族化性を有する。
【００８４】
これらの金属は、一般に、上で定義した担体上に存在する。ニッケル／タングステン触媒については、シリコアルミン酸塩およびシリカ−酸化チタン担体は非常に特に適している。これらの金属は、アルミナまたは非晶質または結晶性シリコアルミン酸塩等の担体上に酸化形態で存在する。好ましくは、金属酸化物は、ゼオライト系担体上に存在する。
【００８５】
触媒は、非限定的例として、Ｐｔ／ＳＡＰＯ−１１／Ａｌ２Ｏ３、  Ｐｔ／ＺＳＭ−２２／Ａｌ２Ｏ３、Ｐｔ／ＺＳＭ−２３／Ａｌ２Ｏ３、ＮｉＷ／Ａｌ２Ｏ３、ＮｉＷ／ゼオライト／Ａｌ２Ｏ３およびＰｔ／ＳＡＰＯ−１１／ＳｉＯ２である。好ましくは、水素化処理触媒、特に水素化分解触媒は、ＮｉＷ／Ａｌ２Ｏ３およびＮｉＷ／ゼオライト／Ａｌ２Ｏ３から選択される。
【００８６】
水素化処理触媒を水素化脱酸素触媒と一緒にまたは混合して使用することが特に望ましい。何故ならば、両方とも硫化工程を必要とするからである。従って、水素化脱窒素、水素化脱硫、脱芳香族化、水素化転化、水素化、水素化異性化、水素化脱酸素化、脱芳香族化および水素化分解を同時に、逐次的にまたは交互に行うことができる。
【００８７】
本発明による水素化処理触媒、特に水素化分解触媒のインサイチュ活性化のための方法は、硫化剤が水素化処理反応器、特に水素化分解反応器に導入される少なくとも１つの硫化工程を含む。
【００８８】
有利には、硫化剤は、硫化水素、二硫化炭素、ジメチルジスルフィド（ＤＭＤＳ）、ジメチルスルフィド、メルカプタン、チオフェンおよび誘導体、アルキルポリスルフィド、ジアルキルポリスルフィドならびに水素化処理触媒、特に水素化分解触媒の金属酸化物を硫化することができる全てのスルフィド化合物から選択される。好ましくは、硫化剤はＤＭＤＳであり、特にアルケマ社によって、例えば、ＤＭＤＳ  Ｅｖｏｌｕｔｉｏｎ（Ｒ）およびＤＭＤＳ  Ｅｖｏｌｕｔｉｏｎ（Ｒ）  Ｅ２の商標名で市販されている。
【００８９】
硫化工程は、気相または液相のいずれかで実施することができる。好ましくは、硫化工程は、１２０から３５０℃の間の温度で１バールから２００バール（または１．１０５Ｐａから２００．１０５Ｐａ）までの範囲の水素圧で灯油または軽油等の軽質留分を含む液体供給物を接触させることによって液相中で行われる。好ましくは、水素圧は、１５バールから１００バール（または１５．１０５Ｐａから１００．１０５Ｐａ）までの範囲である。
【００９０】
より詳細には、本発明による水素化処理触媒、特に水素化分解触媒のインサイチュ活性化のための方法の間に、１つ以上の水素化処理反応器、特に水素化分解反応器に少なくとも１つの水素化処理触媒、特に水素化分解触媒を充填した後で、液体供給物をその後、好ましくは１２０℃から３５０℃の温度で注入する。液体供給物は、供給物の総重量に対して、好ましくは０．０１から２０重量％、好ましくは０．０１から５重量％の硫化物含有率を有する。
【００９１】
一実施形態によれば、触媒を装填し、装填操作の間に吸着された水を除去するために、窒素または水素を用いて１２０℃から２００℃の間で乾燥させる任意の工程の後で、装置の圧力は、装置の通常操作圧力に対応する圧力、好ましくは１バールから２００バールの間（または１．１０５Ｐａから２００．１０５Ｐａの間）、より好ましくは１５バールから１００バールの間（または１５．１０５Ｐａから１００．１０５Ｐａの間）にされる。次いで触媒反応器の温度を、水素化処理触媒、特に水素化分解触媒の硫化および不動態化の反応を実施するために２００℃から３５０℃へ連続段階で上昇させる。
【００９２】
硫化工程の過程で、硫化剤は、当業者に知られている任意の手段、例えば、ピストン型計量ポンプ、多段式容積式ポンプ、または注入流量の制御を提供する任意の他のポンプシステムに従って、水素化処理反応器、特に水素化分解反応器に供給される液体供給物または水素に注入される。
【００９３】
好ましい実施形態によれば、硫化工程および不動態化工程は同時に行われる。この実施形態では、硫化剤および窒素化合物は、水素化処理反応器（単数または複数）、特に水素化分解反応器に同時に注入される。少なくとも１つの硫化剤および上記で定義した少なくとも１つの窒素化合物を含む混合物も含まれる。
【００９４】
別の実施形態によれば、硫化工程および触媒の酸性部位の不動態化工程は断続的に、即ち、単数または複数の水素化処理反応器、特に水素化分解反応器中で、硫化剤が注入され、次に本発明による少なくとも１つの窒素化合物が、またはその逆順で注入され、この操作は１回以上繰り返される。
【００９５】
一実施形態によれば、水素化処理触媒を活性化した後、水素化処理反応器内において温度を徐々に上昇させて、例えば、３５０℃から４５０℃の間の水素化処理反応器の通常操作温度、いわゆる生産モードに達する。水素化処理される化合物は、例えば、５０バールから２００バール（または５０．１０５Ｐａから２００．１０５Ｐａ）の範囲の水素圧下で水素化処理反応器に導入することができる。存在する水素は、水素化処理触媒からアンモニアを脱着し、そのため触媒がバイオマス由来の化合物を変換するための全ての水素化処理活性を回復することが可能になる。有利には、脱着は徐々に行われ、それにより水素化処理反応の発熱性を制御することが可能となる。
【００９６】
一実施形態によれば、水素化分解触媒を活性化した後、水素化分解反応器内において温度を徐々に上昇させて、好ましくは３５０℃から４５０℃の間の水素化分解反応器の通常操作温度、いわゆる生産モードに達する。分解される重質炭化水素鎖を有する留分は、５０バールから２００バール（または５０．１０５Ｐａから２００．１０５Ｐａ）の範囲の水素圧下で水素化分解反応器に導入される。存在する水素は、水素化分解触媒からアンモニアを脱着し、そのため触媒が重質留分を変換するための全ての水素化分解活性を回復することが可能になる。有利には、脱着は徐々に行われ、それにより水素化分解反応の発熱性を制御することが可能となる。
【００９７】
本発明は、純粋に説明の目的のために与えられており、添付の特許請求の範囲によって規定される本発明の範囲を限定することを意図するものではない以下の非限定的な実施例に照らしてより深く理解されるであろう
【実施例】
【００９８】
この試験の目的は、水素化処理触媒上のアミンのアンモニアへの分解を比較することである。比較は、本発明によるアミンと、従来技術に既に記載され、市場でトリｎ−ブチルアミンおよびアニリンとして知られているアミンとの間で行う。
【００９９】
この試験に用いた触媒は、γアルミナ上に担持された酸化モリブデン１７重量％、酸化ニッケル３．５重量％を含む。この試験に使用したＤＭＤＳ（ジメチルジスルフィド）およびＤＥＡＰＡ（ジエチルアミノプロピルアミン）は、アルケマ社から供給されている。
【０１００】
アンモニアへのアミンの転化は、この触媒を含む反応器の出口で得られる。触媒は、ニッケルおよびモリブデン金属酸化物を対応する金属硫化物に転化する「硫化」処理によって活性化されなければならない。ドデカン中１．５重量％に希釈したジメチルジスルフィドの溶液を以下のように使用する。
−  ４ｍｌの触媒を触媒反応器に入れ、０．５ＭＰａの窒素（１０ＮＬ／時）の下、１５０℃で１時間乾燥させた後、窒素を１ＮＬ／時の水素で置換し、反応器内の圧力６ＭＰａにする。
−  ＤＭＤＳをドープしたドデカン（１．５重量％）４ｍｌ／時を水素の流入流に導入し、反応器の温度を２５℃／時の温度勾配に従って２３０℃にし、次いでこの温度で６時間（この期間は、０．５ｍｏｌ％を超える、反応器出口での水素中の硫化水素の濃度を観察するのに十分な時間である）安定化させる。この硫化水素濃度をガスクロマトグラフィーによりオンラインで測定した。
−  次に、反応器の温度を２５℃／時の勾配に従って３５０℃に上昇させ、次いでこの温度で少なくとも１０時間維持する。
【０１０１】
次いで、このようにして活性化された触媒を、ドデカン中で希釈されたアミンの種々の溶液と接触させる。同じガスクロマトグラフィー装置を用いて出口の水素中のアンモニア濃度を測定する。試験条件は以下の通りであった。
−  アミンドープしたドデカン（窒素０．５重量％）の流量：４ｍｌ／時
−  水素圧力：６ＭＰａ
−  水素の流量：１ＮＬ／時。
【０１０２】
触媒反応器の温度を、アンモニアへのアミンの５０％転化率に相当する予想アンモニアの５０％の形成に必要な温度を決定するために、連続的な工程で２００から３００℃の間に調節した。使用したアミンに依存して、以下の温度値が得られた。
−  アニリン：２５６℃
−  トリ−ｎ−ブチルアミン：２５４℃
−  ジエチルアミノプロピルアミン：２４５℃。
【０１０３】
これらの試験は、従来技術で使用されているアミンと比較して、本発明のアミンにより、より低温でのアンモニアの生成を示す。本発明の基準に対応するアミンでは、従来技術において通常使用されるアミンと比較して、ニッケル系およびモリブデン系触媒と接触してアンモニアを形成する傾向がより大きい。